(57)【要約】【課題】下位カードの冗長切替を行った場合に、待機系に移行した不要な通信リソースを効率良く削除し、呼損を防止し正常な通信を行う。【解決手段】通信リソースの生成・削除を行う、冗長構成をとった下位カード３，４と、下位カード３（４）により生成された通信リソースを記録するメモリ１０と、運用系の下位カード３（４）に対して、通信リソースの生成・削除を要求する通信リソース生成・削除部７と、下位カード３，４の冗長切替を行う場合に、待機系の下位カード４に対して、メモリ１０に記録されている通信リソースの移行を要求する通信リソース移行部８と、冗長切替過渡期に、運用系の下位カード３で削除された通信リソースを不要通信リソースとして記録し、新たに運用系となった下位カード４が起動完了後に、当該新たに運用系となった下位カード４に対して、不要通信リソースの削除を要求する不要通信リソース削除部９とを備えた。【選択図】図１
2012090147.tif 000002
【特許請求の範囲】
【請求項１】
通信リソースの生成・削除を行う、冗長構成をとった下位カードと、
前記下位カードにより生成された通信リソースを記録するメモリと、
運用系の前記下位カードに対して、通信リソースの生成・削除を要求する通信リソース生成・削除部と、
前記下位カードの冗長切替を行う場合に、待機系の前記下位カードに対して、前記メモリに記録されている通信リソースの移行を要求する通信リソース移行部と、
冗長切替過渡期に、運用系の前記下位カードで削除された通信リソースを不要通信リソースとして記録し、新たに運用系となった前記下位カードが起動完了後に、当該新たに運用系となった下位カードに対して、前記不要通信リソースの削除を要求する不要通信リソース削除部と
を備えた基地局装置。
【請求項２】
前記通信リソース生成・削除部は、通信リソース削除要求後、所定時間内に、運用系の前記下位カードから当該通信リソースの削除の成功を示す応答が無い場合に応答タイムアウトを検出し、
前記不要通信リソース削除部は、前記通信リソース生成・削除部により応答タイムアウトが検出された場合に、新たに運用系となった前記下位カードが起動完了後に、当該新たに運用系となった下位カードに対して、前記応答タイムアウトが検出された通信リソースの削除を要求する
ことを特徴とする請求項１記載の基地局装置。
【発明の詳細な説明】
【技術分野】
【０００１】
この発明は、移動局装置に対する通信リソースの生成・削除を行う、冗長構成をとった下位カードを備えた基地局装置に関するものである。
【背景技術】
【０００２】
従来の移動通信システムでは、信頼性確保のために、基地局装置を構成する機能部（移動局装置に対する通信リソースの生成・削除を行う下位カード）を複数設けて、冗長構成（運用系および待機系）をとっている。ここで、現在運用系である下位カードを、下位カード運用系（旧運用系）と称し、現在待機系であり、冗長切替後に運用系となる下位カードを、下位カード待機系（新運用系）と称する。
【０００３】
また、基地局装置の通信制御カードは、下位カードを制御し、運用系から待機系への冗長切替に際して引き継がれるリソース使用状態や呼の通信状態などを管理している。この通信制御カードは、通信リソース生成・削除部および通信リソース移行部から構成されている。
通信リソース生成・削除部は、移動局装置からの通信開始・終了要求に応じて、運用系の下位カード（下位カード運用系（旧運用系）または冗長切替後の下位カード待機系（新運用系））に対して、通信リソースの生成・削除を要求する。また、通信リソース移行部は、冗長切替過渡期に、下位カード待機系（新運用系）に対して、通信制御カードで管理している通信リソースの移行を要求する。
【０００４】
この冗長切替過渡期に、下位カード運用系（旧運用系）のリソース生成・削除と、下位カード待機系（新運用系）のリソース移行とが並行して実施された場合、タイミングによっては、下位カード運用系（旧運用系）で削除されて不要となった通信リソースが、下位カード待機系（新運用系）に移行されてしまい、残存してしまう可能性がある。すなわち、下位カード運用系（旧運用系）では通信リソースの削除が開始されたが、リソース削除が終了する前に、通信制御カードが、この通信リソースをリソース移行対象として設定してしまう可能性がある。この場合、同通信リソースを使用した通信は、呼損となってしまう。
【０００５】
また、運用系から待機系への通信リソースの引き継ぎに関する発明はいくつか存在するが、類似した発明として、共有メモリを用いて効率的に引き継ぎを行う発明が報告されている（例えば特許文献１参照）。
【先行技術文献】
【特許文献】
【０００６】
【特許文献１】特開２００６−２６８２０４号公報
【発明の概要】
【発明が解決しようとする課題】
【０００７】
上述したように、冗長切替過渡期に、下位カード運用系（旧運用系）のリソース生成・削除と、下位カード待機系（新運用系）のリソース移行とが並行して実施された場合、下位カード運用系（旧運用系）では削除されて不要となった通信リソースが、下位カード待機系（新運用系）に移行されてしまい、残存してしまう可能性がある。この場合、同通信リソースを使用した通信は、呼損となってしまうという課題がある。
また、特許文献１に開示されるような共有メモリを用いた構成においても、冗長切替過渡期には不要通信リソースが残存してしまう可能性があるという課題がある。
【０００８】
この発明は、上記のような課題を解決するためになされたもので、下位カードの冗長切替を行った場合に、下位カード待機系（新運用系）に移行してしまった不要通信リソースをソフトウェア的に効率良く削除することが可能となり、同通信リソースを使用した場合に呼損とならず正常な通信を可能とする基地局装置を提供することを目的としている。
【課題を解決するための手段】
【０００９】
この発明に係る基地局装置は、通信リソースの生成・削除を行う、冗長構成をとった下位カードと、下位カードにより生成された通信リソースを記録するメモリと、運用系の下位カードに対して、通信リソースの生成・削除を要求する通信リソース生成・削除部と、下位カードの冗長切替を行う場合に、待機系の下位カードに対して、メモリに記録されている通信リソースの移行を要求する通信リソース移行部と、冗長切替過渡期に、運用系の下位カードで削除された通信リソースを不要通信リソースとして記録し、新たに運用系となった下位カードが起動完了後に、当該新たに運用系となった下位カードに対して、不要通信リソースの削除を要求する不要通信リソース削除部とを備えたものである。
【発明の効果】
【００１０】
この発明によれば、下位カードの冗長切替を行った場合に、下位カード待機系（新運用系）に移行してしまった不要通信リソースをソフトウェア的に効率良く削除することが可能となり、同通信リソースを使用した場合に呼損とならず正常な通信を可能とすることができる。
【図面の簡単な説明】
【００１１】
【図１】この発明の実施の形態１に係る移動通信システムの構成を示す図である。
【図２】この発明の実施の形態１に係る基地局装置の動作を示すシーケンス図である。
【図３】この発明の実施の形態２に係る基地局装置の動作を示すシーケンス図である。
【発明を実施するための形態】
【００１２】
以下、この発明の実施の形態について図面を参照しながら詳細に説明する。
実施の形態１．
図１はこの発明の実施の形態１に係る移動通信システムの構成を示す図である。
移動通信システムは、図１に示すように、基地局装置１と、基地局装置１を介して他の装置との間で通信を行う移動局装置２から構成されている。
基地局装置１は、下位カード３，４、通信制御カード５および監視制御カード６から構成されている。
【００１３】
下位カード３，４は、移動局装置２からのデータ導通を制御するものであり、通信制御カード５からの要求に応じて、移動局装置２に対する通信リソースの生成・削除を行うものである。この下位カード３，４は、信頼性確保のために、冗長構成（運用系および待機系）をとっている。ここで、現在運用系である下位カードを、下位カード運用系（旧運用系）３と称し、現在待機系であり、冗長切替後に運用系となる下位カードを、下位カード待機系（新運用系）４と称する。
【００１４】
通信制御カード５は、下位カード３，４を制御するものであり、運用系から待機系への冗長切替を行う際に引き継がれるリソース使用状態や呼の通信状態などを管理するものである。この通信制御カード５は、通信リソース生成・削除部７、通信リソース移行部８、不要通信リソース削除部９およびメモリ１０から構成されている。
【００１５】
通信リソース生成・削除部７は、運用系の下位カード（下位カード運用系（旧運用系）３または冗長切替後の下位カード待機系（新運用系）４）に対して、通信リソースの生成・削除を要求するものである。ここで、通信リソース生成・削除部７は、移動局装置２からの通信開始・終了要求に応じて、この移動局装置２に対する通信リソースの生成・削除を要求する。また、通信リソース生成・削除部７は、運用系の下位カード３（４）からの、通信リソースの生成・削除の成功を示す応答に応じて、メモリ１０に対して、この通信リソースの記録・削除を行う。
【００１６】
通信リソース移行部８は、冗長切替過渡期に、下位カード待機系（新運用系）４に対して、メモリ１０に記録されている通信リソースの移行を要求するものである。ここで、通信リソース移行部８は、監視制御カード６からの要求に応じて、まず、メモリ１０に記録されている通信リソースの中から移行対象の通信リソースを選択する。なお、移行対象の通信リソースを選択する際には、リソース生成が完了しており、かつ通信中の通信リソースを選択する。そして、通信リソース移行部８は、下位カード待機系（新運用系）４に対して、選択した通信リソースの移行を要求する。また、通信リソース移行部８は、下位カード待機系（新運用系）４からの、通信リソースの移行の成功を示す応答に応じて、リソース移行が完了したことを示す情報を、メモリ１０内の該当する通信リソースに対応付けて、順次、記録する。
【００１７】
不要通信リソース削除部９は、新たに運用系となった下位カード待機系（新運用系）４に対して、下位カード待機系（新運用系）４に残存する不要な通信リソースの削除を要求するものである。この不要通信リソース削除部９は、まず、通信リソース移行部８による移行対象の通信リソースの選択から、リソース移行が完了し新たに運用系となった下位カード待機系（新運用系）４が起動完了するまでの間に、下位カード運用系（旧運用系）３により削除された通信リソースを不要通信リソースとしてメモリ１０に順次、記録する。そして、新たに運用系となった下位カード待機系（新運用系）４が起動完了した後、メモリ１０から不要通信リソースを抽出して、下位カード待機系（新運用系）４に対して、この不要通信リソースの削除を要求する。
【００１８】
監視制御カード６は、下位カード３，４および通信制御カード５を監視制御するものであり、通信制御カード５に対して、下位カード運用系（旧運用系）３から下位カード待機系（新運用系）４への冗長切替指示を行うものである。
【００１９】
次に、上記のように構成された基地局装置１の動作について説明する。
図２はこの発明の実施の形態１に係る基地局装置１の動作を示すシーケンス図である。なお以下では、下位カードとして、Ｎ＋１系、０／１系カード冗長構成を実現する下位カード３，４を用い、下位カード運用系（旧運用系）３から下位カード待機系（新運用系）４に冗長切替を行う場合について示す。
【００２０】
基地局装置１の動作では、図２に示すように、まず、基地局装置１は、移動局装置２により通信が開始されたタイミングで、通信リソースの生成を行う（ステップＳＴ２１）。このステップＳＴ２１では、まず、通信リソース生成・削除部７は、移動局装置２により通信が開始されたタイミングで、下位カード運用系（旧運用系）３に対して、この移動局装置２に対する通信リソースの生成要求（通信リソース生成要求１１）を行う。次に、下位カード運用系（旧運用系）３は、通信リソース生成要求１１に応じて、この移動局装置２に対する通信リソースを生成する。ここで、下位カード運用系（旧運用系）３は、リソース生成に成功した場合には、その旨を示す通信リソース生成応答１２を通信リソース生成・削除部７に送信する。次に、通信リソース生成・削除部７は、通信リソース生成応答１２に応じて、この通信リソースをメモリ１０に記録する。
【００２１】
また、基地局装置１は、移動局装置２により通信が終了されたタイミングで、通信リソースの削除を行う（ステップＳＴ２２）。このステップＳＴ２２では、まず、通信リソース生成・削除部７は、移動局装置２により通信が終了されたタイミングで、下位カード運用系（旧運用系）３に対して、この移動局装置２に対する通信リソースの削除要求（通信リソース削除要求１３）を行う。次に、下位カード運用系（旧運用系）３は、通信リソース削除要求１３に応じて、この移動局装置２に対する通信リソースを削除する。ここで、下位カード運用系（旧運用系）３は、リソース削除に成功した場合には、その旨を示す通信リソース削除応答１４を通信リソース生成・削除部７に送信する。次に、通信リソース生成・削除部７は、通信リソース削除応答１４に応じて、この通信リソースをメモリ１０から削除する。
【００２２】
一方、基地局装置１は、下位カード３，４の冗長切替を開始する（ステップＳＴ２３）。このステップＳＴ２３では、監視制御カード６は、通信制御カード５に対して、下位カード３，４の冗長切替を指示する。これにより、下位カード３，４および通信制御カード５は冗長切替を開始する。
【００２３】
まず、基地局装置１は、移行対象リソースを選択する（ステップＳＴ２４）。このステップＳＴ２４では、通信リソース移行部８は、監視制御カード６からの通信リソース移行要求１５に応じて、メモリ１０に記録されている通信リソースの中から移行対象の通信リソースを選択する。
【００２４】
次いで、基地局装置１は、選択した通信リソースを移行する（ステップＳＴ２５）このステップＳＴ２５では、まず、通信リソース移行部８は、下位カード待機系（新運用系）４に対して、選択した通信リソースの移行要求（通信リソース移行要求１６）を行う。次に、下位カード待機系（新運用系）４は、通信リソース移行要求１６に応じて、選択された通信リソースを移行する。ここで、下位カード待機系（新運用系）４は、リソース移行に成功した場合には、その旨を示す通信リソース移行応答１７を通信リソース移行部８に送信する。次に、通信リソース移行部８は、通信リソース移行応答１７に応じて、リソース移行が完了したことを示す情報を、メモリ１０に記録されている該当する通信リソースに対応付けて、順次、記録する。
【００２５】
一方、基地局装置１は、移動局装置２により通信が終了したタイミングで、通信リソースの削除を行う（ステップＳＴ２６）。すなわち、基地局装置１は、下位カード待機系（新運用系）４へのリソース移行中であっても、下位カード待機系（新運用系）４を新たな運用系として認識するまでは、移動局装置２により通信が終了したタイミングで、下位カード運用系（旧運用系）３に対して、通信リソースの削除を要求する。
このステップＳＴ２６では、まず、通信リソース生成・削除部７は、移動局装置２により通信が終了したタイミングで、下位カード運用系（旧運用系）３に対して、この移動局装置２に対する通信リソースの削除要求（通信リソース削除要求１８）を行う。次に、下位カード運用系（旧運用系）３は、通信リソース削除要求１８に応じて、この移動局装置２に対する通信リソースを削除する。ここで、下位カード運用系（旧運用系）３は、リソース削除に成功した場合には、その旨を示す通信リソース削除応答１９を通信リソース生成・削除部７に送信する。次に、通信リソース生成・削除部７は、通信リソース削除応答１９に応じて、この通信リソースを不要通信リソースとしてメモリ１０に記録する。
【００２６】
次いで、基地局装置１は、リソース移行が完了した後、下位カード待機系（新運用系）４を新たな運用系として認識する（ステップＳＴ２７）。このステップＳＴ２７では、まず、通信リソース移行部８は、移行対象の通信リソースの移行が全て完了した後、その旨を示す通信リソース移行応答２０を監視制御カード６に送信する。次に、監視制御カード６は、通信リソース移行応答２０に応じて、冗長切替完了要求２１を通信制御カード５に送信する。次に、通信制御カード５は、冗長切替完了要求２１に応じて、下位カード待機系（新運用系）４を新たな運用系として認識する。
【００２７】
次いで、基地局装置１は、不要通信リソースを抽出する（ステップＳＴ２８）。このステップＳＴ２８では、不要通信リソース削除部９は、メモリ１０に記録されている不要通信リソースを抽出する。
【００２８】
次いで、基地局装置１は、不要通信リソースを削除する（ステップＳＴ２９）。このステップＳＴ２９では、まず、不要通信リソース削除部９は、新たに運用系となった下位カード待機系（新運用系）４に対して、抽出した不要通信リソースの削除要求（通信リソース削除要求２２）を行う。次に、下位カード待機系（新運用系）４は、通信リソース削除要求２２に応じて、不要通信リソースに該当する通信リソースを削除する。ここで、下位カード待機系（新運用系）４は、リソース削除に成功した場合には、その旨を示す通信リソース削除応答２３を不要通信リソース削除部９に送信する。次に、不要通信リソース削除部９は、通信リソース削除応答２３に応じて、この通信リソースをメモリ１０から順次、削除する。
これにより、下位カード３，４の冗長切替過渡期に下位カード運用系（旧運用系）３で削除した不要な通信リソースを、下位カード待機系（新運用系）４から削除することができる。
【００２９】
次いで、基地局装置１は、冗長切替を完了する（ステップＳＴ３０）。このステップＳＴ３０では、通信制御カード５は、不要通信リソース削除部９により抽出した不要通信リソース全てに対してリソース削除が完了した後、監視制御カード６に対して、冗長切替完了応答２４を送信する。以上の処理にて下位カード３，４の冗長切替を完了する。
【００３０】
以上のように、この実施の形態１によれば、下位カード３，４の冗長切替過渡期に、下位カード運用系（旧運用系）３で削除した通信リソースを不要通信リソースとしてリストアップし、新たに運用系となった下位カード待機系（新運用系）４が起動完了した後に、下位カード待機系（新運用系）４に残存する不要通信リソースを削除するように構成したので、下位カード待機系（新運用系）４に移行してしまった不要通信リソースをソフトウェア的に効率良く削除することが可能となり、同通信リソースを使用した場合に呼損とならず正常な通信を可能とすることができる。
【００３１】
実施の形態２．
実施の形態２に係る移動通信システムの構成は、図１に示す実施の形態１に係る移動通信システムの構成と同様であるため、以下図１を参照しながら説明を行う。
なお、通信リソース生成・削除部７は、下位カード運用系（旧運用系）３に対して通信リソース削除要求を行った後、所定時間内に、下位カード運用系（旧運用系）３からリソース削除の成功を示す応答がなかった場合に、応答タイムアウトを検出する。通信リソース生成・削除部７は、応答タイムアウトを検出した場合には、その旨を監視制御カード６および不要通信リソース削除部９に通知する。なお、応答タイムアウトを検出した場合には、該当する通信リソースをメモリ１０から削除しない。
【００３２】
また、不要通信リソース削除部９は、通信リソース生成・削除部７により応答タイムアウトが検出された場合に、新たに運用系となった下位カード待機系（新運用系）４が起動完了した後に、この下位カード待機系（新運用系）４に対して、応答タイムアウトが検出された通信リソースの削除を要求する。
【００３３】
次に、上記のように構成された基地局装置１において、下位カード運用系（旧運用系）３に障害が発生した場合での動作について説明する。
図３はこの発明の実施の形態２に係る基地局装置１の動作を示すシーケンス図である。なお以下では、下位カードとして、Ｎ＋１系、０／１系カード冗長構成を実現する下位カード３，４を用い、下位カード運用系（旧運用系）３から下位カード待機系（新運用系）４に冗長切替を行う場合について示す。
【００３４】
基地局装置１の動作では、図３に示すように、まず、基地局装置１は、移動局装置２により通信が開始されたタイミングで、通信リソースの生成を行う（ステップＳＴ３１）。このステップＳＴ３１では、まず、通信リソース生成・削除部７は、移動局装置２により通信が開始されたタイミングで、下位カード運用系（旧運用系）３に対して、この移動局装置２に対する通信リソースの生成要求（通信リソース生成要求２５）を行う。次に、下位カード運用系（旧運用系）３は、通信リソース生成要求２５に応じて、この移動局装置２に対する通信リソースを生成する。ここで、下位カード運用系（旧運用系）３は、リソース生成に成功した場合には、その旨を示す通信リソース生成応答２６を通信リソース生成・削除部７に送信する。次に、通信リソース生成・削除部７は、通信リソース生成応答２６に応じて、この通信リソースをメモリ１０に記録する。
【００３５】
また、基地局装置１は、移動局装置２により通信が終了されたタイミングで、通信リソースの削除を行う（ステップＳＴ３２）。このステップＳＴ３２では、まず、通信リソース生成・削除部７は、移動局装置２により通信が終了されたタイミングで、下位カード運用系（旧運用系）３に対して、この移動局装置２に対する通信リソースの削除要求（通信リソース削除要求２７）を行う。
しかしながら、下位カード運用系（旧運用系）３に障害が発生した場合には、通信リソース削除要求２７が到達しない。そのため、下位カード運用系（旧運用系）３ではリソース削除を実施することはできず、通信リソース生成・削除部７は、通信リソース削除応答を受けることなく応答タイムアウトを検出する（ステップＳＴ３３）。通信リソース生成・削除部７は、応答タイムアウトを検出した旨を監視制御カード６および不要通信リソース削除部９に通知する。
【００３６】
次いで、基地局装置１は、下位カード運用系（旧運用系）３の障害発生を契機に、下位カード３，４の冗長切替を開始する（ステップＳＴ３４）。このステップＳＴ３４では、監視制御カード６は、下位カード運用系（旧運用系）３の障害発生を契機に、通信制御カード５に対して、下位カード３，４の冗長切替を指示する。これにより、下位カード３，４および通信制御カード５は冗長切替を開始する。
【００３７】
まず、基地局装置１は、移行対象リソースを選択する（ステップＳＴ３５）。このステップＳＴ３５では、通信リソース移行部８は、監視制御カード６からの通信リソース移行要求２８に応じて、メモリ１０に記録されている通信リソースの中から移行対象の通信リソースを選択する。
【００３８】
次いで、基地局装置１は、選択した通信リソースを移行する（ステップＳＴ３６）このステップＳＴ３６では、まず、通信リソース移行部８は、下位カード待機系（新運用系）４に対して、選択した通信リソースの移行要求（通信リソース移行要求２９）を行う。次に、下位カード待機系（新運用系）４は、通信リソース移行要求２９に応じて、選択された通信リソースを移行する。ここで、下位カード待機系（新運用系）４は、リソース移行に成功した場合には、その旨を示す通信リソース移行応答３０を通信リソース移行部８に送信する。次に、通信リソース移行部８は、通信リソース移行応答３０に応じて、リソース移行が完了したことを示す情報を、メモリ１０に記録されている該当する通信リソースに対応付けて、順次、記録する。
【００３９】
次いで、基地局装置１は、リソース移行が全て完了した後、下位カード待機系（新運用系）４を新たな運用系として認識する（ステップＳＴ３７）。このステップＳＴ３７では、まず、通信リソース移行部８は、移行対象の通信リソースの移行が完了した後、その旨を示す通信リソース移行応答３１を監視制御カード６に送信する。次に、監視制御カード６は、通信リソース移行応答３１に応じて、冗長切替完了要求３２を通信制御カード５に送信する。次に、通信制御カード５は、冗長切替完了要求３２に応じて、下位カード待機系（新運用系）４を新たな運用系として認識する。
【００４０】
次いで、基地局装置１は、要求リトライを実施する（ステップＳＴ３８）。このステップＳＴ３８では、まず、不要通信リソース削除部９は、新たに運用系となった下位カード待機系（新運用系）４に対して、応答タイムアウトが検出された通信リソースの削除要求（通信リソース削除要求３３）を行う。次に、下位カード待機系（新運用系）４は、通信リソース削除要求３３に応じて、該当する通信リソースを削除する。ここで、下位カード待機系（新運用系）４は、リソース削除に成功した場合には、その旨を示す通信リソース削除応答３４を不要通信リソース削除部９に送信する。次に、不要通信リソース削除部９は、通信リソース削除応答３４に応じて、この通信リソースをメモリ１０から順次、削除する。
これにより、下位カード運用系（旧運用系）３の障害発生により、下位カード運用系（旧運用系）３で削除することができなかった不要な通信リソースを、下位カード待機系（新運用系）４から削除することができる。
【００４１】
次いで、基地局装置１は、冗長切替を完了する（ステップＳＴ３９）。このステップＳＴ３９では、通信制御カード５は、応答タイムアウトを検出した通信リソース全てに対してリソース削除が完了した後、監視制御カード６に対して、冗長切替完了応答３５を送信する。以上の処理にて下位カードの冗長切替を完了する。
【００４２】
以上のように、この実施の形態２によれば、下位カード運用系（旧運用系）３に障害が発生し、リソース削除が実施できなかった場合にも、新たに運用系となった下位カード待機系（新運用系）４が起動完了した後に、この通信リソースを下位カード待機系（新運用系）４から削除するように構成したので、下位カード待機系（新運用系）４に移行してしまった不要通信リソースをソフトウェア的に効率良く削除することが可能となり、同通信リソースを使用した場合に呼損とならず正常な通信を可能とすることができる。
【００４３】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４４】
１  基地局装置、２  移動局装置、３  下位カード運用系（旧運用系）、４  下位カード待機系（新運用系）、５  通信制御カード、６  監視制御カード、７  通信リソース生成・削除部、８  通信リソース移行部、９  不要通信リソース削除部、１０  メモリ。
【図１】
2012090147.tif 000003
【図２】
2012090147.tif 000004
【図３】
2012090147.tif 000005